(57)【要約】【課題】非常灯スイッチのシンボル視認性を向上させることができる非常灯スイッチの製作方法を提供する。【解決手段】複数の色相のインクを使ってフィルムにシンボルを印刷する第１段階、前記フィルムのシンボル印刷面に非常灯スイッチ胴体を射出成形して、前記シンボル印刷面を前記非常灯スイッチ胴体に転写する第２段階、及び前記非常灯スイッチ胴体から前記フィルムを除去する第３段階を含む。【選択図】図３
2017199646.tif 000002
【特許請求の範囲】
【請求項１】
複数の色相のインクを使ってフィルムにシンボルを印刷する第１段階；
前記フィルムのシンボル印刷面に非常灯スイッチ胴体を射出成形して、前記シンボル印刷面を前記非常灯スイッチ胴体に転写する第２段階；及び
前記非常灯スイッチ胴体から前記フィルムを除去する第３段階；を含むことを特徴とする、非常灯スイッチの製作方法。
【請求項２】
前記第１段階は、
シンボル領域を除いた前記シンボル印刷面にスイッチの地色にあたるブラック色相の第１インクを印刷する第１インク印刷段階；
前記シンボル領域にシンボル形状を形成するために、シンボル表示のためのホワイト色相の第２インクを印刷する第２インク印刷段階；
前記第２インク印刷面の後面に第３インクを印刷する第３インク印刷段階；及び
前記シンボル領域を含む前記シンボル印刷面の全面にシンボル表示のためのレッド色相の第４インクを印刷する第４インク印刷段階；を含むことを特徴とする、請求項１に記載の非常灯スイッチの製作方法。
【請求項３】
前記第３インク印刷段階は、
前記第３インクが前記第２インクの印刷幅より小さな幅を持つように印刷することを特徴とする、請求項２に記載の非常灯スイッチの製作方法。
【請求項４】
前記第３インク印刷段階は、
照明源から放出される光が前記第２インクに透過しないように、ブラック色相のインクを印刷することを特徴とする、請求項２に記載の非常灯スイッチの製作方法。
【請求項５】
前記第１段階は、
前記フィルムと前記シンボル印刷面の間にはコーティング材を塗布することを特徴とする、請求項１に記載の非常灯スイッチの製作方法。
【請求項６】
前記第１段階は、
前記シンボル印刷面にシンボル形状を形成するために、シンボル表示のためのホワイト色相の第１インクを印刷する第１インク印刷段階；及び
前記第１インク印刷面の後面に光が透過しないようにするブラック色相の第２インクを印刷する第２インク印刷段階；を含むことを特徴とする、請求項１に記載の非常灯スイッチの製作方法。
【請求項７】
前記第２段階は、
前記シンボル印刷面をレッド色相の前記非常灯スイッチ胴体に転写することを特徴とする、請求項６に記載の非常灯スイッチの製作方法。
【請求項８】
前記第２インク印刷段階は、
前記第２インクが前記第１インクの印刷幅より小さな幅を持つように印刷することを特徴とする、請求項１に記載の非常灯スイッチの製作方法。
【発明の詳細な説明】
【技術分野】
【０００１】
本発明は非常灯スイッチの製作方法に係り、より詳しくは非常灯スイッチのシンボル視認性を向上させることができる非常灯スイッチの製作方法に関するものである。
【背景技術】
【０００２】
一般に、車両の内部には、運転者の操作によって左右の方向指示灯を同時に点滅させて緊急状況であることを周辺の車両に知らせたり、緊急停止時に後方車両に気を付けることを知らせたりするための非常灯スイッチが設けられている。
【０００３】
このような非常灯スイッチは緊急状況時に点灯されなければならず、運転者の迅速なスイッチ操作が要求されるので、運転者が非常灯スイッチの位置を正確に把握して速かに操作することができるように視認性が要求される。
【０００４】
しかし、非常灯スイッチは昼間には視認性の問題がないが、夜間には点灯がなされることにより、非常灯スイッチの照明作動の際、レッド及びホワイトシンボル部に照明源が同時に投光してシンボル部が広がって見える現象が発生する可能性があり、よってシンボル形状の視認性が低下する可能性がある。
【０００５】
すなわち、非常灯スイッチの製作は、射出成形後、３回の塗装（レッド塗装、ブラック塗装及びハイグロシ塗装）及びレーザーカットを行った後、最終的にシンボル印刷を実施する工程が順次進む。ここで、照明源がレッド塗装領域は貫通することができるがシンボル印刷領域は貫通することができないようにしなければならないが、シンボル印刷領域のホワイト領域も同時に投光するから、非常灯スイッチに対するシンボル視認性が低下することができる。
【先行技術文献】
【特許文献】
【０００６】
【特許文献１】大韓民国特許公開第１０−２００８−００４８６３０号公報
【発明の概要】
【発明が解決しようとする課題】
【０００７】
本発明の目的は、複数のインクを活用して所望の形状及び色相にフィルムにシンボルを印刷し、印刷されたシンボルを射出成形によって非常灯スイッチに転写して非常灯スイッチを製作することで、非常灯スイッチのシンボル視認性を向上させることができる非常灯スイッチの製作方法を提供することにある。
【課題を解決するための手段】
【０００８】
前記のような目的を達成するために、本発明は、複数の色相のインクを使ってフィルムにシンボルを印刷する第１段階、前記フィルムのシンボル印刷面に非常灯スイッチ胴体を射出成形して、前記シンボル印刷面を前記非常灯スイッチ胴体に転写する第２段階、及び前記非常灯スイッチ胴体から前記フィルムを除去する第３段階を含むことを特徴とする非常灯スイッチの製作方法を提供する。
【０００９】
前記第１段階は、シンボル領域を除いた前記シンボル印刷面にスイッチの地色にあたるブラック色相の第１インクを印刷する第１インク印刷段階、前記シンボル領域にシンボル形状を形成するために、シンボル表示のためのホワイト色相の第２インクを印刷する第２インク印刷段階、前記第２インク印刷面の後面に第３インクを印刷する第３インク印刷段階、及び前記シンボル領域を含む前記シンボル印刷面の全面にシンボル表示のためのレッド色相の第４インクを印刷する第４インク印刷段階を含むことができる。
【００１０】
前記第３インク印刷段階は、前記第３インクが前記第２インクの印刷幅より小さな幅を持つように印刷することができる。
【００１１】
前記第３インク印刷段階は、照明源から放出される光が前記第２インクに透過しないように、ブラック色相のインクを印刷することができる。
【００１２】
前記第１段階は、前記フィルムと前記シンボル印刷面の間にはコーティング材を塗布することができる。
【００１３】
前記第１段階は、前記シンボル印刷面にシンボル形状を形成するために、シンボル表示のためのホワイト色相の第１インクを印刷する第１インク印刷段階、及び前記第１インク印刷面の後面に光が透過しないようにするブラック色相の第２インクを印刷する第２インク印刷段階を含むことができる。
【００１４】
前記第２段階は、前記シンボル印刷面をレッド色相の前記非常灯スイッチ胴体に転写することができる。
【００１５】
前記第２インク印刷段階は、前記第２インクが前記第１インクの印刷幅より小さな幅を持つように印刷することができる。
【発明の効果】
【００１６】
本発明は、複数のインクを活用して所望の形状及び色相にフィルムにシンボルを印刷し、印刷されたシンボルを射出成形によって非常灯スイッチに転写して非常灯スイッチを製作することで、非常灯スイッチのシンボル視認性を向上させることができる効果を持つ。
【００１７】
また、本発明は、射出成形工程後、フィルムとシンボル印刷面を分離し、分離されたシンボル印刷面を射出表面に転写することで、複数の塗装、レーザー加工及び印刷工程からなる製作工程を単純化することができる効果を持つ。
【図面の簡単な説明】
【００１８】
【図１】本発明の一実施例による非常灯スイッチの製作方法を順次示すフローチャートである。
【００１９】
【図２】本発明の一実施例による非常灯スイッチの製作方法の過程を示す図である。
【００２０】
【図３】本発明の一実施例による非常灯スイッチの製作方法におけるシンボル印刷面を示す図である。
【００２１】
【図４】本発明の一実施例による非常灯スイッチの製作方法のうち、図３の矢印方向に見たシンボル印刷過程を順次示す図である。
【００２２】
【図５】本発明の一実施例による非常灯スイッチの製作方法においてフィルム及びシンボル印刷面の構造を示す図である。
【００２３】
【図６】本発明の他の実施例による非常灯スイッチの製作方法におけるシンボル印刷面を示す図である。
【００２４】
【図７】本発明の他の実施例による非常灯スイッチの製作方法のうち、図６の矢印方向に見たシンボル印刷過程を順次示す図である。
【発明を実施するための形態】
【００２５】
以下、添付図面に基づいて本発明による好適な実施例を詳細に説明する。  
【００２６】
本発明の利点及び特徴、そしてそれを達成する方法は添付図面に基づいて詳細に説明された実施例を参照すれば明確になるであろう。
【００２７】
しかし、本発明は以下に開示する実施例に限定されるものではなく、互いに異なる様々な形態に具現化可能である。ただし、この実施例は本発明の開示を完全にし、本発明が属する技術分野で通常の知識を持つ者に発明の範囲を完全に知らせるために提供されるもので、本発明は専ら特許請求の範囲によって定義されるものである。
【００２８】
本発明の説明において、関連の公知技術などが本発明の要旨をあいまいにし得ると判断される場合、それについての詳細な説明は省略する。  
【００２９】
図１は本発明の一実施例による非常灯スイッチの製作方法を順次示すフローチャート、図２は本発明の一実施例による非常灯スイッチの製作方法の過程を示す図である。
【００３０】
図１に示したように、非常灯スイッチの製作方法を順次説明すれば次のようである。
【００３１】
複数の色相のインクを使ってフィルム１０にシンボルを印刷する（Ｓ１００）。
【００３２】
すなわち、図２の（ａ）に示したように、フィルム１０に非常灯シンボルを印刷する。このようなシンボル印刷に関する詳細な説明は後述する。
【００３３】
その後、フィルム１０のシンボル印刷面１２に非常灯スイッチ胴体１を図２の（ｃ）のように射出成形することで、非常灯シンボルで印刷されたシンボル印刷面１２を非常灯スイッチ胴体１に転写する（Ｓ２００）。
【００３４】
言い換えれば、図２の（ｂ）のように、シンボルが印刷されたフィルム１０を金型に装着し、他の金型でフィルム１０を成形した状態で、シンボル印刷面１２にプラスチックレジンを注入して非常灯スイッチ胴体１を射出した後、成形によって非常灯スイッチ胴体１にシンボルを転写する。
【００３５】
ついで、非常灯スイッチ胴体１からフィルム１０を除去して（Ｓ３００）、図２の（ｄ）のように最終製品を完成する。
【００３６】
従来は、非常灯スイッチを製作するために、ホワイト色相の非常灯スイッチ胴体を射出した後、レッド、ブラック及びハイグロシ（ｈｉｇｈ ｇｒｏｓｓｙ）を順次塗装した後、レーザーカット及びシンボル印刷を進めて最終製品を完成する。
【００３７】
しかし、このような過程によって最終製品を完成する場合には、塗装及び乾燥の繰り返しによって製品生産のためのサイクルが増加し、よって原価及び不良率が増加する。
【００３８】
したがって、この実施例は、射出成形後、３回の塗装及びレーザーカットを行い、シンボル印刷工程に代わってフィルム１０にシンボルを印刷した後、非常灯スイッチ胴体１にシンボルを転写することで、前記のような問題を解決することができ、さらにシンボルを大量で印刷することができるので、製品生産性を効果的に向上させることもできる。
【００３９】
以下、図３は本発明の一実施例による非常灯スイッチの製作方法におけるシンボル印刷面を示す図、図４は本発明の一実施例による非常灯スイッチの製作方法のうち、図３の矢印方向に見たシンボル印刷過程を順次示す図、図５は本発明の一実施例による非常灯スイッチの製作方法においてフィルム及びシンボル印刷面の構造を示す図である。
【００４０】
図４に示したように、この実施例によってフィルム１０にシンボルを印刷する過程を順次説明すれば次のようである。
【００４１】
まず、図４の（ａ）に示したように、シンボル領域Ａを除いたシンボル印刷面１２にスイッチの地色にあたるブラック色相の第１インク２０を印刷する。
【００４２】
その後、図４の（ｂ）に示したように、シンボル領域Ａに非常灯のシンボル形状が形成されるようにシンボル表示機能をするホワイト色相の第２インク３０を印刷する。
【００４３】
ついで、図４の（ｃ）に示したように、第２インク３０の印刷面の後面に第３インク４０を印刷する。
【００４４】
最後に、図４の（ｄ）に示したように、シンボル領域Ａを含むシンボル印刷面の全面にレッド色相の第４インク５０を印刷してシンボル印刷を終了し、第４インク５０の印刷面を射出成形によって非常灯スイッチ胴体１に転写する。
【００４５】
この過程によって、図３のように、フィルム１０のシンボル印刷面１２にシンボルを印刷することができる。
【００４６】
ここで、第３インク４０としては、照明源か放出される光が第２インク３０に透過して外部に露出されないようにするために、ブラック色相のインクを印刷することが好ましく、第３インク４０が外部に露出されないようにするために、第２インク３０の印刷幅より小さな幅に印刷されなければならない。
【００４７】
非常灯スイッチの内部で照明源が点灯する場合、シンボル形状が形成された領域を除いた残りのシンボル領域Ａにおいては第４インク５０によってレッド色相の光が外部に透過することになり、第２インク３０によってシンボル形状が形成された領域においては前記のようにブラック色相の第３インク４０によって光の透過が遮断されるので、レッド色相の光が外部に透過しなくなる。
【００４８】
したがって、この実施例は、非常灯スイッチ内部の照明源が点灯する場合にも光がレッド色相の第４インク５０及び第２インク３０を透過して外部に透過しないようにすることで、非常灯スイッチのシンボル視認性を向上させることができる。
【００４９】
従来には、照明源の点灯によって放出される光がレッド色相の塗装面及びホワイト色相の塗装面を一緒に透過してホワイト色相の塗装面にレッド色相が広がる現象が発生してシンボル視認性を低下させたが、この実施例は第４インク５０が第３インク４０を通じて第２インク３０の外部に透過することを防止して、前記のようなシンボル視認性低下の問題を解決するようにする。
【００５０】
一方、フィルム１０とシンボル印刷面１２の間にはコーティング材１４が塗布される。好ましくは、図５に示したように、ＰＥＴ（ｐｏｌｙｅｔｈｙｌｅｎｅ ｔｅｒｅｐｈｔｈａｌａｔｅ）フィルム１０に離型剤１６を印刷し、非常灯スイッチの表面の剥離、変色などの防止のためにコーティング材１４を塗布し、印刷インクが印刷されるシンボル印刷面１２とコーティング材１４の付着性のためにプライマー１８を塗布することにより、非常灯シンボルが印刷されたフィルム１０を完成する。
【００５１】
このようなシンボル印刷面１２に非常灯スイッチ胴体１を射出成形してシンボル印刷面１２が非常灯スイッチ胴体１に転写された後には、フィルム１０及び離型剤１６を非常灯スイッチ胴体１から除去して、最終的に非常灯スイッチ製品を完成する。
【００５２】
以下、図６は本発明の他の実施例による非常灯スイッチの製作方法におけるシンボル印刷面を示す図、図７は本発明の他の実施例による非常灯スイッチの製作方法のうち、図６の矢印方向に見たシンボル印刷過程を順次示す図である。
【００５３】
図７に示したように、この実施例によってフィルム１０にシンボルを印刷する過程を順次説明すれば次のようになる。
【００５４】
まず、図７の（ａ）に示したように、フィルム１０のシンボル印刷面１２に設けられたシンボル領域Ａにシンボル形状を形成するためにホワイト色相の第１インク６０を印刷する。
【００５５】
その後、図７の（ｂ）に示したように、第１インク６０の印刷面の後面にブラック色相の第２インク７０を印刷することで、図６に示したように、フィルム１０のシンボル印刷面１２に２色相の第１インク６０及び第２インク７０を順次印刷して、シンボルが印刷されたフィルム１０を用意する。
【００５６】
この際、フィルム１０のシンボル印刷面１２はレッド色相を持ち、射出成形された非常灯スイッチ胴体１に転写され、これにより前述した実施例のように付加のレッド色相インクを印刷する過程を省略することができる。
【００５７】
また、第２インク７０としては、照明源から放出される光が第１インク６０に透過して外部に露出されないようにするために、ブラック色相のインクを印刷し、第２インク７０が外部に露出されないように、第１インク６０の印刷幅より小さな幅に印刷されることが好ましい。
【００５８】
したがって、この実施例は、非常灯スイッチ内部の照明源が点灯する場合、前記のように２色相の第１インク６０及び第２インク７０を印刷することにより、レッド色相の非常灯スイッチ胴体１を通過した光を第２インク７０によって遮断することで、第１インク６０の外部にレッド色相の光が透過しないようにすることができる。
【００５９】
本発明は、複数のインクを活用して所望の形状及び色相にフィルムにシンボルを印刷し、印刷されたシンボルを射出成形によって非常灯スイッチに転写して非常灯スイッチを製作することで、非常灯スイッチのシンボル視認性を向上させることができる効果を持つ。
【００６０】
また、本発明は、射出成形工程後、フィルムとシンボル印刷面を分離し、分離されたシンボル印刷面を射出表面に転写することで、複数の塗装、レーザー加工及び印刷工程からなる製作工程を単純化することができる効果を持つ。
【００６１】
以上、本発明を図面に例示された実施例に基づいて説明したが、これは例示的なものに過ぎず、当業者であればこれから多様な変形が可能であり、前述した実施例の全部または一部を選択的に組み合わせて構成することもできることが理解可能であろう。したがって、本発明の真正な技術的保護範囲は添付の特許請求の範囲の技術的思想によって決められなければならないであろう。
【符号の説明】
【００６２】
１    非常灯スイッチ胴体
１０    フィルム
１２    シンボル印刷面
１４    コーティング材
１６    離型剤
１８    プライマー
２０、６０    第１インク
３０、７０    第２インク
４０    第３インク
５０    第４インク
Ａ    シンボル領域
【図１】
2017199646.tif 000003
【図２】
2017199646.tif 000004
【図３】
2017199646.tif 000005
【図４】
2017199646.tif 000006
【図５】
2017199646.tif 000007
【図６】
2017199646.tif 000008
【図７】
2017199646.tif 000009